(57)【要約】【課題】  目的のファイルを容易に見つけることのできる情報分類プログラム、情報分類方法、情報分類装置及び記録媒体を提供する。【解決手段】  情報処理装置に記憶されている複数の情報ファイルのそれぞれを代表するアイコン又はファイル名称をファイルオブジェクトとして表示画面上に２次元に配置して表示する情報分類プログラムであって、情報ファイルを分類する単位を包含する概念である分類基準（１５）を獲得するステップと、分類基準に含まれる単位である分類単位（１６）を獲得するステップと、複数の情報ファイルを分類単位ごとに分類するステップと、表示画面上で１次元方向に配置された分類単位毎に分類された情報ファイルのファイルオブジェクトを他の１次元方向に配置して表示する表示ステップとをコンピュータに実行させるためのプログラムである。【選択図】    図２
2005107723.tif 000002
【特許請求の範囲】
【請求項１】
情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類プログラムにおいて、
前記情報ファイルを分類する単位である分類単位を獲得するステップと、
前記複数の情報ファイルを前記分類単位ごとに分類するステップと、
前記表示画面上で１次元方向に配置された前記分類単位毎に前記分類された情報ファイルのファイルオブジェクトを、他の１次元方向に配置して表示する表示ステップと、
をコンピュータに実行させるためのプログラム。
【請求項２】
情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類プログラムにおいて、
前記情報ファイルを分類する単位である第１の分類単位を獲得するステップと、
前記情報ファイルを分類する単位である第２の分類単位を獲得するステップと、
前記複数の情報ファイルを前記第１の分類単位及び前記第２の分類単位ごとに分類するステップと、
前記表示画面上の所定の１次元方向が前記第１の分類単位毎に区分され、他の所定の１次元方向が前記各第２の分類単位毎に区分されてなる２次元に区分されたそれぞれの領域に前記分類された情報ファイルのファイルオブジェクトを表示する表示ステップと、
をコンピュータに実行させるためのプログラム。
【請求項３】
前記表示画面上に分類されて表示された複数のファイルオブジェクトを選択する情報選択ステップと、
前記情報選択ステップで選択された複数のファイルオブジェクトに対応した複数の情報ファイルを対象として、請求項１または２に記載のステップをコンピュータに実行させる再度の分類ステップと
を備えたことを特徴とする請求項１または２に記載のプログラム。
【請求項４】
前記分類単位の少なくとも１つの分類単位は前記情報処理装置の記憶装置に記憶されているファイルを含むフォルダであることを特徴とする請求項１乃至３の内いずれか１項に記載のプログラム。
【請求項５】
前記分類単位の少なくとも１つの分類単位は情報ファイルのファイル属性値又はファイルに含まれるデータの属性値により区分されることを特徴とする請求項１乃至３の内いずれか１項に記載のプログラム。
【請求項６】
前記分類単位の少なくとも１つの分類単位は画像ファイルに含まれる画像の撮影情報の値により区分されることを特徴とする請求項１乃至３の内いずれか１項に記載のプログラム。
【請求項７】
前記情報ファイルは画像ファイルであり、前記アイコンは画像の縮小画像であることを特徴とする請求項１乃至６の内いずれか１項に記載のプログラム。
【請求項８】
前記表示ステップにおいて、前記表示画面上の２次元に区分された領域に前記分類されたファイルオブジェクトの全てを表示できない場合には、表示できないファイルオブジェクトを代表するオブジェクトを表示することを特徴とする請求項１または２に記載のプログラム。
【請求項９】
情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類プログラムを記録した記録媒体において、
前記情報ファイルを分類する単位である分類単位を獲得するステップと、
前記複数の情報ファイルを前記分類単位ごとに分類するステップと、
前記表示画面上で１次元方向に配置された前記分類単位毎に前記分類された情報ファイルのファイルオブジェクトを、他の１次元方向に配置して表示する表示ステップと、
をコンピュータに実行させるためのプログラムを記録した記録媒体。
【請求項１０】
情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類プログラムを記録した記録媒体において、
前記情報ファイルを分類する単位である第１の分類単位を獲得するステップと、
前記情報ファイルを分類する単位である第２の分類単位を獲得するステップと、
前記複数の情報ファイルを前記第１の分類単位及び前記第２の分類単位ごとに分類するステップと、
前記表示画面上の所定の１次元方向が前記第１の分類単位毎に区分され、他の所定の１次元方向が前記各第２の分類単位毎に区分されてなる２次元に区分されたそれぞれの領域に前記分類された情報ファイルのファイルオブジェクトを表示する表示ステップと、
をコンピュータに実行させるためのプログラムを記録した記録媒体。
【請求項１１】
情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類方法において、
前記情報ファイルを分類する単位である分類単位を獲得するステップと、
前記複数の情報ファイルを前記分類単位ごとに分類するステップと、
前記表示画面上で１次元方向に配置された前記分類単位毎に前記分類された情報ファイルのファイルオブジェクトを、他の１次元方向に配置して表示する表示ステップと、
を備えたことを特徴とする情報分類方法。
【請求項１２】
情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類方法において、
前記情報ファイルを分類する単位である第１の分類単位を獲得するステップと、
前記情報ファイルを分類する単位である第２の分類単位を獲得するステップと、
前記複数の情報ファイルを前記第１の分類単位及び前記第２の分類単位ごとに分類するステップと、
前記表示画面上の所定の１次元方向が前記第１の分類単位毎に区分され、他の所定の１次元方向が前記各第２の分類単位毎に区分されてなる２次元に区分されたそれぞれの領域に前記分類された情報ファイルのファイルオブジェクトを表示する表示ステップと、
を備えたことを特徴とする情報分類方法。
【請求項１３】
情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類装置において、
前記情報ファイルを分類する単位である分類単位を獲得する手段と、
前記複数の情報ファイルを前記分類単位ごとに分類する手段と、
前記表示画面上で１次元方向に配置された前記分類単位毎に前記分類された情報ファイルのファイルオブジェクトを、他の１次元方向に配置して表示する表示手段と、
を備えたことを特徴とする情報分類装置。
【請求項１４】
情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類装置において、
前記情報ファイルを分類する単位である第１の分類単位を獲得する手段と、
前記情報ファイルを分類する単位である第２の分類単位を獲得する手段と、
前記複数の情報ファイルを前記第１の分類単位及び前記第２の分類単位ごとに分類する手段と、
前記表示画面上の所定の１次元方向が前記第１の分類単位毎に区分され、他の所定の１次元方向が前記各第２の分類単位毎に区分されてなる２次元に区分されたそれぞれの領域に前記分類された情報ファイルのファイルオブジェクトを表示する表示手段と、
を備えたことを特徴とする情報分類装置。
【発明の詳細な説明】
【技術分野】
【０００１】
本発明は、情報処理装置又は情報処理装置とネットワーク接続された他の情報処理装置に保存されている情報ファイルを分類するための情報分類技術に関する。
【背景技術】
【０００２】
従来、パーソナルコンピュータなどの情報処理装置に保存されている情報ファイル（以下、「ファイル」という。）を分類する方法として、フォルダーツリーを表示してユーザにフォルダを特定させ、その指定されたフォルダに含まれるファイルのサムネイル画像やアイコンなどを名前や作成時間順に並べて表示する方法が知られている。
【０００３】
また、情報処理装置に保存されているコンテンツに関連付けられて記録されている属性データを基に、ユーザが所望するコンテンツを効率良く探し出すことができるようにする方法も知られている（例えば、特許文献１参照）。
【特許文献１】特開２００２−１１６９３３号公報
【発明の開示】
【発明が解決しようとする課題】
【０００４】
しかしながら、対象とするファイルが多くのフォルダに分散して記憶されている場合は、画像を一画面内に表示することができないため取り扱いが煩雑であった。また、一つのフォルダに大量のファイルが含まれている場合には、目的のファイルを特定するのが困難であるという問題点があった。
【０００５】
本発明は、かかる事情に鑑みてなされたものであって、複数のフォルダに分散して記憶されているファイルを１画面内に表示することができ、一つのフォルダに大量のファイルが含まれている場合でも、目的のファイルを容易に見つけることのできる情報分類プログラム、情報分類方法、情報分類装置及び記録媒体を提供することを目的とする。
【課題を解決するための手段】
【０００６】
本発明に係る請求項１に記載の情報分類プログラムは、情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類プログラムにおいて、前記情報ファイルを分類する単位である分類単位を獲得するステップと、前記複数の情報ファイルを前記分類単位ごとに分類するステップと、前記表示画面上で１次元方向に配置された前記分類単位毎に前記分類された情報ファイルのファイルオブジェクトを、他の１次元方向に配置して表示する表示ステップと、をコンピュータに実行させる。
【０００７】
また本発明に係る請求項２に記載の情報分類プログラムは、情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類プログラムにおいて、前記情報ファイルを分類する単位である第１の分類単位を獲得するステップと、前記情報ファイルを分類する単位である第２の分類単位を獲得するステップと、前記複数の情報ファイルを前記第１の分類単位及び前記第２の分類単位ごとに分類するステップと、前記表示画面上の所定の１次元方向が前記第１の分類単位毎に区分され、他の所定の１次元方向が前記各第２の分類単位毎に区分されてなる２次元に区分されたそれぞれの領域に前記分類された情報ファイルのファイルオブジェクトを表示する表示ステップと、をコンピュータに実行させる。
【０００８】
また本発明に係る請求項３に記載の情報分類プログラムは、上記記載の発明である情報分類プログラムにおいて、前記表示画面上に分類されて表示された複数のファイルオブジェクトを選択する情報選択ステップと、前記情報選択ステップで選択された複数のファイルオブジェクトに対応した複数の情報ファイルを対象として、請求項１または２に記載のステップをコンピュータに実行させる再度の分類ステップとを備えた。
【０００９】
また本発明に係る請求項４に記載の情報分類プログラムは、上記記載の発明である情報分類プログラムにおいて、前記分類単位の少なくとも１つの分類単位は前記情報処理装置の記憶装置に記憶されているファイルを含むフォルダである。
【００１０】
また本発明に係る請求項５に記載の情報分類プログラムは、上記記載の発明である情報分類プログラムにおいて、前記分類単位の少なくとも１つの分類単位は情報ファイルのファイル属性値又はファイルに含まれるデータの属性値により区分される。
【００１１】
また本発明に係る請求項６に記載の情報分類プログラムは、上記記載の発明である情報分類プログラムにおいて、前記分類単位の少なくとも１つの分類単位は画像ファイルに含まれる画像の撮影情報の値により区分される。
【００１２】
また本発明に係る請求項７に記載の情報分類プログラムは、上記記載の発明である情報分類プログラムにおいて、前記情報ファイルは画像ファイルであり、前記アイコンは画像の縮小画像である。
【００１３】
また本発明に係る請求項８に記載の情報分類プログラムは、上記記載の発明である情報分類プログラムにおいて、前記表示ステップにおいて、前記表示画面上の２次元に区分された領域に前記分類されたファイルオブジェクトの全てを表示できない場合には、表示できないファイルオブジェクトを代表するオブジェクトを表示する。
【００１４】
また本発明に係る請求項９に記載の記録媒体は、情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類プログラムを記録した記録媒体において、前記情報ファイルを分類する単位である分類単位を獲得するステップと、前記複数の情報ファイルを前記分類単位ごとに分類するステップと、前記表示画面上で１次元方向に配置された前記分類単位毎に前記分類された情報ファイルのファイルオブジェクトを、他の１次元方向に配置して表示する表示ステップと、をコンピュータに実行させるためのプログラムを記録した。
【００１５】
また本発明に係る請求項１０に記載の記録媒体は、情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類プログラムを記録した記録媒体において、前記情報ファイルを分類する単位である第１の分類単位を獲得するステップと、前記情報ファイルを分類する単位である第２の分類単位を獲得するステップと、前記複数の情報ファイルを前記第１の分類単位及び前記第２の分類単位ごとに分類するステップと、前記表示画面上の所定の１次元方向が前記第１の分類単位毎に区分され、他の所定の１次元方向が前記各第２の分類単位毎に区分されてなる２次元に区分されたそれぞれの領域に前記分類された情報ファイルのファイルオブジェクトを表示する表示ステップと、をコンピュータに実行させるためのプログラムを記録した。
【００１６】
また本発明に係る請求項１１に記載の情報分類方法は、情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類方法において、前記情報ファイルを分類する単位である分類単位を獲得するステップと、前記複数の情報ファイルを前記分類単位ごとに分類するステップと、前記表示画面上で１次元方向に配置された前記分類単位毎に前記分類された情報ファイルのファイルオブジェクトを、他の１次元方向に配置して表示する表示ステップと、を備えた。
【００１７】
また本発明に係る請求項１２に記載の情報分類方法は、情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類方法において、前記情報ファイルを分類する単位である第１の分類単位を獲得するステップと、前記情報ファイルを分類する単位である第２の分類単位を獲得するステップと、前記複数の情報ファイルを前記第１の分類単位及び前記第２の分類単位ごとに分類するステップと、前記表示画面上の所定の１次元方向が前記第１の分類単位毎に区分され、他の所定の１次元方向が前記各第２の分類単位毎に区分されてなる２次元に区分されたそれぞれの領域に前記分類された情報ファイルのファイルオブジェクトを表示する表示ステップと、を備えた。
【００１８】
また本発明に係る請求項１３に記載の情報分類装置は、情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類装置において、前記情報ファイルを分類する単位である分類単位を獲得する手段と、前記複数の情報ファイルを前記分類単位ごとに分類する手段と、前記表示画面上で１次元方向に配置された前記分類単位毎に前記分類された情報ファイルのファイルオブジェクトを、他の１次元方向に配置して表示する表示手段と、を備えた。
【００１９】
また本発明に係る請求項１４に記載の情報分類装置は、情報処理装置又は情報処理装置とネットワーク接続された他の情報処理装置に記憶されている複数の情報ファイルのそれぞれを代表するアイコン又はファイル名称をファイルオブジェクトとして、表示画面上に２次元に配置して表示する情報分類装置において、前記情報ファイルを分類する単位である第１の分類単位を獲得する手段と、前記情報ファイルを分類する単位である第２の分類単位を獲得する手段と、前記複数の情報ファイルを前記第１の分類単位及び前記第２の分類単位ごとに分類する手段と、前記表示画面上の所定の１次元方向が前記第１の分類単位毎に区分され、他の所定の１次元方向が前記各第２の分類単位毎に区分されてなる２次元に区分されたそれぞれの領域に前記分類された情報ファイルのファイルオブジェクトを表示する表示手段と、を備えた。
【発明の効果】
【００２０】
本発明の情報分類プログラムによれば、目的のファイルを容易に見つけることができる。
【発明を実施するための最良の形態】
【００２１】
［第１の実施の形態］
本発明に係る情報分類方法では、情報処理装置の表示装置に表示されたファイル表示画面に基づいて、ユーザがファイルを取り扱うための操作指示を入力する。本発明は、ファイル表示画面に２次元で構成されるファイル分類条件を設定するための入力エリアを表示し、ユーザがその２次元のファイル分類条件を設定することでファイルの指定が行われるように構成している。
【００２２】
図１は、本発明の第１の実施の形態の情報分類方法によるファイル表示画面の構成を示す図である。
【００２３】
このファイル表示画面は、画面表示を操作するためのツールバーエリア１、ファイルを特定するための第１の分類条件を設定し表示するＸエリア２、ファイルを特定するための第２の分類条件を設定し表示するＹエリア３、及び特定されたファイルの表示方法を設定しファイルを表示する表示エリア４で構成されている。
【００２４】
そして、ツールバーエリア１には、モード選択欄６、分類範囲選択欄７、表示更新ボタン８及び終了ボタン９が設けられている。
【００２５】
モード選択欄６は、ファイルを１度の指定された分類条件で表示する「スタンダードモード」、ファイルの指定を複数回繰り返してファイルを絞り込みながら表示する「再帰モード」を選択させる。分類範囲設定欄７には、対象となるファイルの所在場所を指定する。表示更新ボタン８は、設定された条件に基づいてファイル表示画面を更新する。終了ボタン９は、ファイル表示処理を終了する。
【００２６】
Ｘエリア２には、第１の分類条件を詳細に設定するＸ設定エリア１１、設定された分類条件を表示する領域であるＸ分類エリア１２が設けられている。そして、Ｘ設定エリア１１には、分類基準１５、分類単位１６、分類最小値１７及び分類最大値１８を設定するための入力欄が備えられている。
【００２７】
分類基準１５は、ファイルを分類するための基準を表わす。分類単位１６は、分類基準１５の区分の単位を表わす。分類最小値１７、分類最大値１８は分類する範囲を指定する。
【００２８】
Ｙエリア３には、第２の分類条件を詳細に設定するＹ設定エリア２１、設定された分類条件を表示する領域であるＹ分類エリア２２が設けられている。そして、Ｙ設定エリア２１には、分類基準２５、分類単位２６、分類最小値２７及び分類最大値２８を設定するための入力欄が備えられている。
【００２９】
分類基準２５は、ファイルを分類するための基準を表わす。分類単位２６は、分類基準２５の区分の単位を表わす。分類最小値２７、分類最大値２８は分類する範囲を指定する。
【００３０】
ファイル表示エリア４には、ブラウズエリア３１、ブラウズ設定エリア３２及び選択情報エリア３３が設けられている。そして、ブラウズ設定エリア３２には、分類対象３５、表示形式３６、表示基準３７及び表示順序３８を設定するための入力欄（選択リスト）が備えられている。
【００３１】
ブラウズエリア３１には、上記第１および第２の分類条件によって分類されたファイルのサムネイルあるいはアイコンが２次元で表示される。選択情報エリア３３には、ブラウズエリア３１に表示されたサムネイルあるいはアイコンの内、ユーザが選択したサムネイルあるいはアイコンに対応したファイルの情報やプレビューが表示される。
【００３２】
分類対象３５は、ブラウズエリア３１に表示するファイルの種類を選択する。表示形式３６は、ブラウズエリア３１に表示する形態（サムネイル、アイコン等）を選択する。表示基準３７、表示順序３８は、ブラウズエリア３１に表示する並び順が未定の場合に、表示する順序を指定する。
【００３３】
次に、「スタンダードモード」におけるファイルの表示方法を図２乃至６を参照しつつ説明する。
【００３４】
図２は、フォルダ毎に画像ファイルを分類して表示する画面を示す図である。
【００３５】
ユーザは、ツールバーエリア１のモード選択欄６より、スタンダードモードを選択する。そして、分類範囲設定欄７にファイルの所在場所である「ドライブＥ」を指定する。
【００３６】
次に、ユーザはファイル分類条件を指定する。ユーザは、第１の分類条件として、Ｘ設定エリア１１の分類基準１５に「保存位置」を設定し、分類単位１６に「フォルダ」を指定する。一方、第２の分類条件は指定しない。そこで、ユーザは、分類基準２５に「非分類」を設定する。
【００３７】
また、ユーザは、分類対象３５に「画像」、表示形式３６に「サムネイル」、表示基準３７に「更新日時」、表示順序３８に「昇順」をそれぞれ設定する。
【００３８】
そして、ユーザが表示更新ボタン８を操作すると、図２に示すファイル表示画面が表示される。
【００３９】
Ｘ分類エリア１２には、設定された分類単位に対応して、ドライブＥに存在するフォルダが表示される。一方、Ｙ設定エリア２１の分類基準２５を非分類としているため、Ｙ分類エリア２２には分類単位が表示されない。
【００４０】
ブラウズエリア３１には、Ｘ分類エリア１２のフォルダ位置に対応して、そのフォルダに保存されている画像ファイルがサムネイル形式で表示されている。
【００４１】
ここで、ユーザがマウスポインタ３９でサムネイルの１つを指定すると、選択情報エリア３３には、その拡大画像がプレビュー画像４０として表示され、それとともにそのファイルの属性データが表示される。また、ユーザがマウスポインタ３９でサムネイルの１つをダブルクリック選択すると、その画像ファイルを開くことができる。
【００４２】
図３は、作成日毎に文書ファイルを分類して表示する画面を示す図である。
【００４３】
ユーザは、ツールバーエリア１のモード選択欄６より、スタンダードモードを選択する。そして、分類範囲設定欄７からファイルの所在場所である「ドライブＥ」を指定する。
【００４４】
次に、ユーザはファイル分類条件を指定する。ユーザは、Ｘ設定エリア１１の分類基準１５に「作成日時」を設定し、分類単位１６に「日付別」を指定する。そして、表示する範囲として分類最小値１７に「４月１日」、分類最大値１８に「５月３０日」を設定する。但し、第２の分類条件は指定しない。そこで、ユーザは、分類基準２５に「非分類」を設定する。
【００４５】
また、ユーザは、分類対象３５に「文書」、表示形式３６に「アイコン」、表示基準３７に「ファイル名」、表示順序３８に「昇順」をそれぞれ設定する。
【００４６】
そして、ユーザが表示更新ボタン８を操作すると、図３に示すファイル表示画面が表示される。
【００４７】
Ｘ分類エリア１２には、４月１日から５月３０日までの日付が１日単位で表示される。一方、Ｙ設定エリア２１の分類基準２５を非分類としているため、Ｙ分類エリア２２には表示単位が表示されない。
【００４８】
ブラウズエリア３１には、Ｘ分類エリア１２の日付位置に対応して、ドライブＥに保存されている文書ファイルがアイコン形式で表示されている。
【００４９】
ここで、ユーザがマウスポインタ３９でアイコンの１つを指定すると、選択情報エリア３３には、その文書ファイルの属性データが表示される。また、ユーザがマウスポインタ３９でアイコンの１つをダブルクリック選択すると、その文書ファイルを開くことができる。
【００５０】
図４は、フォルダ毎に撮影日付別の画像ファイルを分類して表示する画面を示す図である。
【００５１】
ユーザは、ツールバーエリア１のモード選択欄６より、スタンダードモードを選択する。そして、分類範囲設定欄７からファイルの所在場所である「ドライブＥ」を指定する。
【００５２】
次に、ユーザはファイル分類条件を指定する。ユーザは、Ｘ設定エリア１１の分類基準１５に「保存位置」を設定し、分類単位１６に「フォルダ」を指定する。そして、Ｙ設定エリア２１の分類基準２５に「撮影日時」を設定し、分類単位２６に「月別」を指定する。そして、表示する範囲として分類最小値２７に「２００２年１月」、分類最大値２８に「現在」を設定する。
【００５３】
また、ユーザは、分類対象３５に「画像」、表示形式３６に「アイコン」、表示基準３７に「更新日時」、表示順序３８に「昇順」をそれぞれ設定する。
【００５４】
そして、ユーザが表示更新ボタン８を操作すると、図４に示すファイル表示画面が表示される。
【００５５】
Ｘ分類エリア１２には、ドライブＥに存在するフォルダが表示される。一方、Ｙ設定エリア２１には、２００２年１月から現在までの期間が月別に表示される。
【００５６】
ブラウズエリア３１には、Ｘ分類エリア１２のフォルダ位置に対応して、そのフォルダに保存されている画像ファイルが、Ｙ分類エリア２２の各月位置に対応して、アイコン形式で撮影月毎に分類されて表示されている。そして、そのアイコンの表面には数字が表示されているが、この数字はそのアイコンが代表している画像ファイルの数を表わしている。
【００５７】
ここで、ユーザがマウスポインタ３９でサムネイルの１つを指定すると、選択情報エリア３３には、そのフォルダに含まれる画像ファイルが更新日時の古いものから新しいものへ順序付けられて配列されて表示される。
【００５８】
図５は、週毎に記録時間別のビデオファイルを分類して表示する画面を示す図である。
【００５９】
ユーザは、ツールバーエリア１のモード選択欄６より、スタンダードモードを選択する。そして、分類範囲設定欄７からファイルの所在である「画像フォルダ」を指定する。
【００６０】
次に、ユーザはファイル分類条件を指定する。ユーザは、Ｘ設定エリア１１の分類基準１５に「撮影日時」を設定し、分類単位１６に「週別」を指定する。そして、表示する範囲として分類最小値１７に「２００３年３月３日」、分類最大値１８に「２００３年１２月２９日」を設定する。そして、Ｙ設定エリア２１の分類基準２５に「記録時間」を設定し、分類単位２６に「分別」を指定する。そして、表示する範囲として分類最小値２７に「０分」、分類最大値２８に「２５分」を設定する。
【００６１】
また、ユーザは、分類対象３５に「ビデオ」、表示形式３６に「アイコン」を設定する。
【００６２】
そして、ユーザが表示更新ボタン８を操作すると、図５に示すファイル表示画面が表示される。
【００６３】
Ｘ分類エリア１２には、３月３日から１２月２９日までの日付が週単位で表示される。一方、Ｙ分類エリア２２には、０分から２５分までの記録時間が１分単位で表示される。
【００６４】
ブラウズエリア３１には、Ｘ分類エリア１２の週位置及びＹ設定エリア２２の記録時間位置に対応して、画像フォルダに保存されているビデオファイルがアイコン形式で表示されている。そして、そのアイコンの表面には数字が表示されているが、この数字はアイコンが代表しているビデオファイルの数を表わしている。
【００６５】
ここで、ユーザがマウスポインタ３９でアイコンの１つを指定すると、選択情報エリア３３には、そのアイコンが代表しているファイルが表示される。
【００６６】
図６は、月毎にフォーマット別に画像ファイルを分類して表示する画面を示す図である。
【００６７】
ユーザは、ツールバーエリア１のモード選択欄６より、スタンダードモードを選択する。そして、分類範囲設定欄７からファイルの所在場所である「画像フォルダ」を指定する。
【００６８】
次に、ユーザはファイル分類条件を指定する。ユーザは、Ｘ設定エリア１１の分類基準１５に「撮影日時」を設定し、分類単位１６に「月別」を指定する。そして、表示する範囲として分類最小値１７に「２００２年９月」、分類最大値１８に「２００３年１２月」を設定する。そして、Ｙ設定エリア２１の分類基準２５に「画像種」を設定し、分類単位２６に「種別」を指定する。そして、表示する順序として分類最小値２７に「昇順」を設定する。
【００６９】
また、ユーザは、分類対象３５に「画像」、表示形式３６に「サムネイル」、表示基準３７に「更新日時」、表示順序３８に「昇順」をそれぞれ設定する。
【００７０】
そして、ユーザが表示更新ボタン８を操作すると、図６に示すファイル表示画面が表示される。
【００７１】
Ｘ分類エリア１２には、２００２年９月から２００３年１２月までの日付が１月単位で表示される。一方、Ｙ分類エリア２２には、画像形式の種別名称がＡＢＣ・・・順に配列されて表示される。
【００７２】
ブラウズエリア３１のＸ分類エリア１２の月別位置とＹ分類エリア２２の画像種別に対応した枠内には、画像フォルダに保存されている画像ファイルがサムネイル形式で表示されている。またこの枠内には、その表面に数字が表示されているアイコンが表示されているものがある。この数字は、アイコンが代表している画像の枚数を示している。
【００７３】
例えば、撮影月が２００３年１月で画像種がＢＭＰで指定される枠内には、数字１０が記載されたアイコンが右下の位置に表示されているが、これは表示されていないサムネイル画像が１０枚あることを示している。そこで、ユーザがマウスポインタ３９でこのアイコンを指定すると、この枠内に残り１０枚のサムネイル画像の内所定の枚数が表示される。
【００７４】
また、撮影月が２００３年１月で画像種がＪＰＥＧで指定される枠内には、数字８が記載されたアイコンが左上の位置に表示されているが、これはまだ以前に表示されたサムネイル画像が８枚あることを示している。そこで、ユーザがマウスポインタ３９でこのアイコンを指定すると、この枠内に以前に表示した８枚のサムネイル画像が表示される。
【００７５】
ここで、ユーザがマウスポインタ３９でサムネイル画像の１つを指定すると、選択情報エリア３３には、サムネイルより大きな画像がプレビュー画像４０として表示され、それとともにそのファイルの属性データが表示される。
【００７６】
次に、「再帰モード」におけるファイルの表示方法を図７乃至９を参照しつつ説明する。
【００７７】
図７は、各月毎に日付別に画像ファイルを分類して表示する画面を示す図である。「再帰モード」における表示画面の構成は、上述の「スタンダードモード」における表示画面の構成と比較すると、画面の下部にレベル移動ボタン４３、ボックスエリア４４、ボックス操作エリア４５が新たに設けられている点と、ツールバーエリア１にレベル表示１０が記載されている点が異なっている。
【００７８】
そして、ボックスエリア４４には、複数のボックス４６を設けることが可能であり、ボックス操作エリア４５には、ボックス４６を新規に生成するための新規ボックスボタン４７とボックス４６を削除するためのボックス削除ボタン４８が設けられている。
【００７９】
図７では、第１の分類条件に月別の撮影日時を設定し、第２の分類条件に日別の撮影日時を設定して画像ファイルのアイコンを表示している。この表示動作については、図５で説明した表示動作と同様であるためその詳細の説明は省略する。
【００８０】
ユーザがマウスを用いて、アイコンをボックス４６にドラッグアンドドロップ操作すると、そのボックス４６にそのアイコンとリンクした画像ファイルを対応付けることができる。そこで、ユーザは対応付けた画像ファイルを対象として更にファイルを分類する操作が可能となる。この操作は、レベル２の操作として定義される。
【００８１】
ユーザがボックスＡにマウスポインタ３９を移動して、例えば、ダブルクリックすると図８に示す分類基準選択画面が、たとえばポップアップ画面として表示される。
【００８２】
この画面は、Ｘ方向（上下方向）とＹ方向（左右方向）の分類基準を選択するための画面である。マウスポインタ３９をこの画面上で動かし、Ｘ・Ｙそれぞれが所望の分類基準になったところで、マウスポインタ３９をクリックすることで分類基準の選択を確定することができる。この機能により少ない操作でＸ及びＹ方向の分類基準を選択することができる。
【００８３】
なお、図８の分類基準選択画面は、ボックス４６を選択して次のレベルに移る時に分類基準を選択する場合のみではなく、スタンダードモードや再帰モードのレベル１の分類基準の選択に使用しても良い。
【００８４】
そして、分類基準の選択が確定すると、図９に示す、レベル２の再帰モードのファイル表示画面が表示される。
【００８５】
図９は、画素数毎で画像種別にファイルを分類して表示する画面を示す図である。
【００８６】
図９に示す画面では、図８に示す分類基準選択画面で選択した画素数と画像種によって画像ファイルが分類されて表示されている。また、ツールバーエリア１の分類範囲設定欄７には「ボックスＡ」と表示され、またレベル表示１０には「レベル２」と表示されている。
【００８７】
さらにこの画面において、ユーザはマウスを用いて、サムネイル画像をボックス４６にドラッグアンドドロップ操作することで、そのボックス４６にサムネイル画像とリンクした画像ファイルを対応付けることができる。そして、ユーザは対応付けた画像ファイルを対象として更にファイルを分類するレベル３の操作を行うことが可能となる。
【００８８】
なお、各レベルの画面において、レベル移動ボタン４３を操作することで、１つ上のレベルの画面に戻ることが可能である。
【００８９】
なお、ファイル表示画面の分類基準１５、２５には、ファイルのプロパティ情報を設定することができる。
【００９０】
図１０は、ファイルのプロパティ情報の例を示す図である。
【００９１】
それぞれのファイルに共通するプロパティ情報としては、「ファイル作成日時」、「ファイル更新日時」、「ファイルサイズ」、「ファイル形式」、「ファイル名」、「ファイル所有者名」、「ファイルを作成したアプリケーションソフト名」等である。
【００９２】
またファイル個別のプロパティ情報としては、画像ファイルでは、撮影条件をプロパティ情報とすることができる。例えば、「撮影日時」、「カメラの種類」、「カメラのメーカ名」、「レンズ焦点距離」、「ストロボのＯＮ／ＯＦＦ」、「画像フォーマット」、「画像サイズ」等である。また音声ファイルのプロパティ情報は、「録音時間」、「記録時間」、「音声のサンプリングレート」、「量子化ビット数」等である。そして、文書ファイルのプロパティ情報は、「行数」、「文字数」等である。
【００９３】
続いて、上述の情報分類方法を実現するための情報分類装置の構成と、その主な処理手順について説明する。
【００９４】
図１１は、情報分類装置６０の構成を示す図である。情報分類装置６０は、通信インターフェース６１、表示部６２、操作入力部６３、処理部６４、プログラムメモリ６５、情報メモリ６６、情報管理ＤＢ６７を備えている。
【００９５】
通信インターフェース６１は、外部装置（不図示）との間で情報を通信により授受するためのインターフェースである。表示部６２は、情報分類装置６０内に記憶されている情報等を表示する。操作入力部６３は、ユーザからの操作指示入力を受取るためのマンマシンインターフェースである。
【００９６】
処理部６４は、情報分類装置６０の動作を統括的に制御する。プログラムメモリ６５は、情報分類装置６０の各機能を制御するプログラムを保存する。情報メモリ６６は、情報分類装置６０の処理に用いるデータを記憶する。情報管理ＤＢ６７は、情報分類装置６０が操作可能なファイル、フォルダに関する構造等の情報を格納する。この情報管理ＤＢ６７に格納される情報は、情報処理装置６０内の情報ばかりでなく、通信インターフェース６１により接続された外部の情報処理装置（不図示）に記憶されている情報であってもよい。
【００９７】
図１２は、ファイルを分類するための情報管理プログラムの概略の処理手順を示すフロー図である。なお、以下に説明する処理は、本情報管理プログラムの機能の内主な機能に関する。従って、以下に記載されていない機能であっても、図１乃至９に記載された機能は本情報管理プログラムの機能に含まれる。
【００９８】
情報管理プログラムは、まず情報管理ＤＢ６７にファイル、ホルダに関する情報が登録されているかどうかを調べる（Ｓ０１）。そして、登録がされていない場合は（Ｓ０１  Ｎｏ）、情報管理ＤＢを構築する（Ｓ０２）。
【００９９】
図１３は、情報管理ＤＢ構築の概略の処理手順を示すフロー図である。
【０１００】
情報管理プログラムは、情報分類装置６０の情報メモリ６６に保存されているフォルダの構造を分析する。そして、全フォルダに関する情報と、フォルダツリー構造情報を抽出して、これらの情報を情報管理ＤＢ６７に格納する（Ｔ０１）。続いて情報管理プログラムは、各フォルダに含まれるファイルのファイル情報を抽出し、フォルダと関連付けて情報管理ＤＢ６７に登録する（Ｔ０２）。
【０１０１】
なお、情報管理ＤＢにより外部情報処理装置に記憶されている情報ファイルの管理を行う場合は、Ｔ０２ステップが終了後、通信インターフェースに６１に接続されている外部情報処理装置を識別し、情報管理ＤＢにその識別情報を記憶し、外部情報処理装置を対象としてＴ０１乃至Ｔ０２のステップと同様の処理を実行する。抽出したフォルダツリー構造や、ファイル情報は、外部情報処理装置の識別情報に関連付けて情報管理ＤＢに記憶する。
【０１０２】
情報管理ＤＢ６７の構築を行った後は、図１２に戻り、設定メモリに記憶されている設定情報を読込む（Ｓ０３）。ここで、設定メモリは情報管理ＤＢ６７内に設けられた記憶領域で、情報管理プログラムが前回の設定処理で使用した状態を記憶している。そこで、情報管理プログラムは、この設定情報に応じて設定されている情報分類画面を表示する（Ｓ０４）。従って、ユーザは前回と同じ設定状態から操作を開始することができる。
【０１０３】
続いて、ファイル情報の登録／削除／更新処理（Ｓ０５）及びフォルダ情報の登録／削除（Ｓ０６）及び情報分類処理（Ｓ０７）が並列に実行される。後に述べるように、これらの処理（Ｓ０５〜Ｓ０７）は、画面上の終了ボタン９が押されたときに終了する。そして、Ｓ０５〜Ｓ０７の全ての処理が終了すると、終了ボタンが押される直前の画面上の各コントロールの設定情報を設定メモリに記憶する（Ｓ０８）。ここで、コントロールとは、モード選択欄６や分類範囲設定欄７や分類基準欄１５など、ユーザが設定できる画面上のオブジェクトのことである。
【０１０４】
ファイルの作成、削除、更新及びフォルダの作成や削除は、オペレーティングシステム（ＯＳ）や他のアプリケーションソフトウェアによっても実行されるものであって、本実施の形態の情報分類管理プログラムは、自分以外のソフトウェア（ＯＳを含む）によるファイルやフォルダの状態変化を監視して、ファイルやフォルダの作成や削除などを検出した時に、情報管理ＤＢの情報を更新する。
【０１０５】
なお、ファイル及びフォルダの移動、コピー、削除、名前の変更操作は、本発明の情報分類機能に含まれる。これらの操作を実行するためには、マウスの右ボタンを押してメニューを表示し、そのメニューでそれらの操作を選択できるようにしても良いし、画面上部のツールバーに操作ボタンやメニューを配置しても良い。
【０１０６】
図１４は、図１２のステップＳ０５に示すファイル情報の登録／削除／更新の概略の処理手順を示すフロー図である。
【０１０７】
ファイルが削除されたことを検出した場合（Ｔ１０）は、情報管理ＤＢ６７に登録されているファイル情報を削除する（Ｔ１１）。
【０１０８】
通信インターフェース６１を介して、外部情報処理装置でフォルダ又はファイルの作成、削除、移動、コピー等の操作が実施されたことを検出した場合（Ｔ１２）は、情報管理ＤＢに記憶しているその外部記憶装置のフォルダ構造情報やファイル情報を修正する（Ｔ１３）。外部情報処理装置のフォルダやファイル情報の管理は、基本的には自身の情報処理装置のファイルやフォルダの情報管理と同一であるので、詳細は記さない。
【０１０９】
なお、外部情報処理装置でフォルダやファイルの操作が実施されたことを検出するには、それらの操作を検出するプログラムを管理対象の外部情報装置で予め動作させておき、そのプログラムが送信した操作検出情報を受信するようにすればよい。
【０１１０】
ファイルが新たに作成されたことを検出した場合（Ｔ１４）は、作成されたファイルの保存先フォルダとファイル情報を情報管理ＤＢに登録する（Ｔ１５）。
【０１１１】
ファイルが更新されたことを検出した場合（Ｔ１６）は、更新されたファイルの情報管理ＤＢに登録されているファイル情報を更新する（Ｔ１７）。
【０１１２】
以上、Ｔ１０〜Ｔ１１及びＴ１２〜Ｔ１３及びＴ１４〜Ｔ１５及びＴ１６〜Ｔ１７の何れかの処理が完了すると、次のファイルの状態変化が検出されるまで待機する。
【０１１３】
終了ボタンが押されたことを検出すると（Ｔ１８）、ファイル情報の登録／削除／更新処理（Ｓ０５）を終了する。
【０１１４】
図１５は、図１２のステップＳ０６に示すフォルダ情報の登録／削除の概略の処理手順を示すフロー図である。
【０１１５】
フォルダが新たに追加されたことを検出した場合（Ｔ２０）は、追加されたフォルダのフォルダ情報を情報管理ＤＢに登録する（Ｔ２１）。
【０１１６】
フォルダが削除されたことを検出した場合（Ｔ２５）は、削除されたフォルダはファイルを含んでいたかどうかを調べる（Ｔ２６）。ファイルを含んでいた場合（Ｔ２６  Ｙｅｓ）は、削除されたフォルダに含まれていたファイルのファイル情報を情報管理ＤＢから削除する（Ｔ２７）。そして、削除されたフォルダのフォルダ情報を情報管理ＤＢ６７から削除する（Ｔ２８）。
【０１１７】
以上、Ｔ２０〜Ｔ２１及びＴ２５〜Ｔ２８の何れかの処理が完了すると、次のフォルダの状態変化が検出されるまで待機する。
【０１１８】
終了ボタン９が押されたことを検出すると（Ｔ２９）、フォルダ情報の登録／削除処理（Ｓ０６）を終了する。
【０１１９】
図１６は、図１２のステップＳ０７に示す情報分類処理の概略の動作手順を示すフロー図である。
【０１２０】
本処理はユーザが図１に示す表示更新ボタン８を操作したときに動作を開始する。先ず、図１に示すモード選択欄６で選択されているモードを調べる（Ｔ３０）。選択されているモードがスタンダードモードのとき（Ｔ３０  Ｎｏ）は、スタンダードモードのファイル分類画面フレームを表示する（Ｔ３１）。そして、表示画面の更新処理を実行する（Ｔ３２）。
【０１２１】
図１７は、図１６のステップＴ３２に示す表示画面更新処理の概略の動作手順を示すフロー図である。
【０１２２】
Ｘ設定エリア１１及びＹ設定エリア２１のそれぞれの設定に応じて、Ｘ分類エリア１２及びＹ分類エリア２２に設定された条件を表示する（Ｒ０１）。
【０１２３】
分類範囲設定欄７で設定された範囲のフォルダ／ファイル情報を情報管理ＤＢ６７より読出し（Ｒ０２）、Ｘ設定エリア１１及びＹ設定エリア２１の設定に応じたフォルダ／ファイル分類をブラウズエリア３１に表示する（Ｒ０３）。
【０１２４】
そして、図１６に戻って、スタンダードモードのファイル分類処理を実行する（Ｔ３３）。このスタンダードモードのファイル分類処理は、スタンダードモードの分類画面（例えば、図２〜図６）において、ユーザの操作に対応した処理を行う。
【０１２５】
図１８は、図１６のステップＴ３３に示すスタンダードモードのファイル分類処理のうち、主な処理の概略の動作手順を示すフロー図である。
【０１２６】
スタンダードモードの分類画面において、ブラウズエリア３１に表示されたファイルオブジェクトがマウスによってダブルクリック選択されたことを検出した場合は（Ｒ１１）、その選択されたファイルを開いて表示する（Ｒ１２）。そして、次のユーザ操作があるまで待機する。
【０１２７】
ブラウズエリア３１に表示されたファイルオブジェクトがマウスによってクリック選択されたことを検出した場合は（Ｒ１３）、その選択されたファイルに関する情報を選択情報エリア３３に表示する（Ｒ１４）。そして、次のユーザ操作があるまで待機する。
【０１２８】
また、Ｘ設定エリア１１、Ｙ設定エリア２１、ブラウズ設定エリア３２などの設定を変更して表示更新ボタン８が押されたことを検出した場合（Ｒ１５）は、表示画面の更新処理を実行する（Ｒ１６）。この表示画面更新処理は、図１７に示す手順（ステップＲ０１〜Ｒ０３）と同様であるためその詳細の説明は省略する。そして、表示画面更新処理を実行した後は、次のユーザ操作があるまで待機する。
【０１２９】
モード選択欄６から再帰モードが選択されたことを検出した場合（Ｒ１７）は、図１６のスタートに戻ってステップＴ３０から再帰モードでの処理を実行する。一方、終了ボタン９が押されたことを検出すると（Ｒ１９）、スタンダードモードのファイル分類（Ｓ０６）を終了する。
【０１３０】
選択されているモードが再帰モードのとき（Ｔ３０  Ｙｅｓ）は、再帰モードのファイル分類画面フレームを表示する（Ｔ３５）。そして、表示画面の更新処理を実行する（Ｔ３６）。この表示画面更新処理は、図１７に示す手順（ステップＲ０１〜Ｒ０５）と同様であるためその詳細の説明は省略する。そして、表示画面更新処理を実行した後は、再帰モードのファイル分類処理を実行する（Ｔ３７）。この再帰モードのファイル分類処理は、再帰モードの分類画面（例えば、図７、図９）において、ユーザの操作に対応した処理を行う。
【０１３１】
図１９、図２０は、図１６のステップＴ３７に示す再帰モードのファイル分類処理のうち、主な処理の概略の動作手順を示すフロー図である。
【０１３２】
図７または図９に示す再帰モードの分類画面において、ブラウズエリア３１のファイルオブジェクトがボックスアイコン４６にドラッグアンドドロップされたことを検出した場合（Ｒ２１）は、ドラッグしたファイルオブジェクトをドロップしたボックス４６に関連付けて情報管理ＤＢ６７に登録する（Ｒ２２）。そして、次のユーザ操作があるまで待機する。
【０１３３】
ボックス操作エリア４５のボックス削除ボタン４８が押されたことを検出した場合（Ｒ２３）は、選択されているボックス４６に関連付けられた情報を情報管理ＤＢ６７より削除し（Ｒ２４）、選択されているボックス４６を情報管理ＤＢ６７から削除する（Ｒ２５）。そして、ボックスエリア４４から選択されたボックスアイコン４６を削除する（Ｒ２６）。そして、次のユーザ操作があるまで待機する。
【０１３４】
新規ボックスボタン４７が押されたことを検出した場合（Ｒ２７）は、新規ボックスを生成して情報管理ＤＢ６７に登録する（Ｒ２８）。そして、生成したボックス４６のアイコンをボックスエリア４４に表示する（Ｒ２９）。そして、次のユーザ操作があるまで待機する。
【０１３５】
ブラウズエリア３１に表示されたファイルオブジェクトがマウスによってダブルクリック選択されたことを検出した場合は（Ｒ３１）、その選択されたファイルを開いて表示する（Ｒ３２）。そして、次のユーザ操作があるまで待機する。
【０１３６】
ブラウズエリア３１に表示されたファイルオブジェクトがマウスによってクリック選択されたことを検出した場合は（Ｒ３３）、その選択されたファイルに関する情報を選択情報エリア３３に表示する（Ｒ３４）。そして、次のユーザ操作があるまで待機する。
【０１３７】
また、Ｘ設定エリア１１、Ｙ設定エリア２１、ブラウズ設定エリア３２などの設定を変更して表示更新ボタン８が押されたことを検出した場合（Ｒ３５）は、表示画面の更新処理を実行する（Ｒ３６）。この表示画面更新処理は、図１７に示す手順（ステップＲ０１〜Ｒ０３）と同様であるためその詳細の説明は省略する。そして、表示画面更新処理を実行した後は、次のユーザ操作があるまで待機する。
【０１３８】
図２０において、レベル移動ボタン４３が押されたことを検出した場合（Ｒ４０）は、現在選択している分類範囲７の１つ上のレベルの分類範囲を情報管理ＤＢ６７から読み出して分類範囲７に設定する（Ｒ４１）。そして、新たな表示画面に更新する（Ｒ４２）。この表示画面更新処理は、図１７に示す手順（ステップＲ０１〜Ｒ０３）と同様であるためその詳細の説明は省略する。そして、表示画面更新処理を実行した後は、次のユーザ操作があるまで待機する。
【０１３９】
ボックス４６のアイコンがマウスによってダブルクリック選択されたことを検出した場合（Ｒ４３）は、次のレベルの画面を表示する。そこで、現在選択している分類範囲７を１つ上のレベルとして選択したボックス４６に関連付けて、情報管理ＤＢ６７に登録する（Ｒ４４）。そして、分類エリアに表示する値は選択されたボックス４６と関連づけられた設定値とする（Ｒ４５）。即ち、前のレベルの分類と同一の条件で表示する。
【０１４０】
そして、図８に示す分類基準選択画面を、たとえばポップアップ画面として表示する（Ｒ４６）。ユーザは上述のようにこの画面上で、少ない操作でＸ及びＹ方向の分類基準を選択することができる。そして、分類基準の選択が確定すると、選択した各Ｘ設定基準及びＹ設定基準に対応する分類単位と分類最大値及び分類最小値のデフォルト値を設定し（Ｒ４７）、新たな表示画面に更新する（Ｒ４８）。この表示画面更新処理は、図１７に示す手順（ステップＲ０１〜Ｒ０３）と同様であるためその詳細の説明は省略する。そして、表示画面更新処理を実行した後は、次のユーザ操作があるまで待機する。
【０１４１】
モード選択欄６からスタンダードモードが設定されたことを検出した場合（Ｒ４９）は、図１６のスタートに戻ってステップＴ３０からスタンダードモードでの処理を実行する。一方、終了ボタン９が押されたことを検出すると（Ｒ５０）、再帰モードのファイル分類（Ｓ０６）を終了する。
【０１４２】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【０１４３】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【０１４４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１４５】
【図１】本発明の第１の実施の形態の情報分類方法によるファイル表示画面の構成を示す図。
【図２】フォルダ毎に画像ファイルを分類して表示する画面を示す図。
【図３】作成日毎に文書ファイルを分類して表示する画面を示す図。
【図４】フォルダ毎に撮影日付別の画像ファイルを分類して表示する画面を示す図。
【図５】週毎に記録時間別のビデオファイルを分類して表示する画面を示す図。
【図６】月毎にフォーマット別に画像ファイルを分類して表示する画面を示す図。
【図７】各月毎に日付別に画像ファイルを分類して表示する画面を示す図。
【図８】分類基準選択画面を示す図。
【図９】レベル２の再帰モードのファイル表示画面を示す図。
【図１０】ファイルのプロパティ情報を示す図。
【図１１】情報分類装置の構成を示す図。
【図１２】ファイルを分類するための情報管理プログラムの概略の処理手順を示すフロー図。
【図１３】情報管理ＤＢ構築の概略の処理手順を示すフロー図。
【図１４】ファイル情報の登録／削除／更新の概略の処理手順を示すフロー図。
【図１５】フォルダ情報の登録／削除の概略の処理手順を示すフロー図。
【図１６】情報分類処理の概略の動作手順を示すフロー図。
【図１７】表示画面更新処理の概略の動作手順を示すフロー図。
【図１８】スタンダードモードのファイル分類処理のうち、主な処理の概略の動作手順を示すフロー図。
【図１９】再帰モードのファイル分類処理のうち、主な処理の概略の動作手順を示すフロー図。
【図２０】再帰モードのファイル分類処理のうち、主な処理の概略の動作手順を示すフロー図。
【符号の説明】
【０１４６】
６…モード選択欄、７…分類範囲設定欄、８…更新表示ボタン、１１…Ｘ設定エリア、１２…Ｘ分類エリア、１５…分類基準、１６…分類単位、２１…Ｙ設定エリア、２２…Ｙ分類エリア、２５…分類基準、２６…分類単位、３１…ブラウズエリア、３２…ブラウズ設定エリア、３３…選択情報エリア、３５…分類対象、３６…表示形式、３９…マウスポインタ、４６…ボックス。
【図１】
2005107723.tif 000003
【図２】
2005107723.tif 000004
【図３】
2005107723.tif 000005
【図４】
2005107723.tif 000006
【図５】
2005107723.tif 000007
【図６】
2005107723.tif 000008
【図７】
2005107723.tif 000009
【図８】
2005107723.tif 000010
【図９】
2005107723.tif 000011
【図１０】
2005107723.tif 000012
【図１１】
2005107723.tif 000013
【図１２】
2005107723.tif 000014
【図１３】
2005107723.tif 000015
【図１４】
2005107723.tif 000016
【図１５】
2005107723.tif 000017
【図１６】
2005107723.tif 000018
【図１７】
2005107723.tif 000019
【図１８】
2005107723.tif 000020
【図１９】
2005107723.tif 000021
【図２０】
2005107723.tif 000022